(57)【要約】【課題】本発明は見た目のスマートさ、動き易さ、安全性に優れ、かつ腰痛予防や姿勢改善が簡便に行える上衣を提供する。【解決手段】着用者の胴体部に対する着圧を調整するための少なくとも１つの手段を、上衣の胴周部に備えることを特徴とし、前記着用者の胴体部に対する着圧を調整するための手段が、上衣の胴周部の一部を胴周方向に寄せて上衣の胴周部の胴周方向の寸法を小さくした状態で固定手段により固定することを特徴とする。【選択図】図１
2015190091.tif 000002
【特許請求の範囲】
【請求項１】
着用者の胴体部に対する着圧を調整するための少なくとも１つの手段を、上衣の胴周部に備える上衣。
【請求項２】
前記着用者の胴体部に対する着圧を調整するための手段が、上衣の胴周部の一部を胴周方向に寄せて上衣の胴周部の胴周方向の寸法を小さくした状態で固定手段により固定するものである請求項１に記載の上衣。
【請求項３】
前記固定手段で固定した後の胴周方向の胴回り寸法をＡ、｛（着用者のチェストまたはバスト寸法値）＋（着用者のウェスト寸法値）｝／２
をＢとしたとき、Ａ／Ｂが０．９０〜１．５０である請求項２記載の上衣。
【請求項４】
前記固定手段で固定する前の胴周方向の胴回り寸法をＡ’としたとき
（Ａ’ − Ａ）／Ａ’が０．０１〜０．３０である請求項３記載の上衣。
【請求項５】
前記着用者の胴体部に対する着丈方向の着圧巾と着丈との比（着丈方向の着圧巾／着丈）が０．１０〜０．６０である請求項１乃至４のいずれかに記載の上衣。
【請求項６】
前記固定手段が、上衣の胴周部の一部を胴周方向に段階的に寄せて上衣の胴周部の胴周方向の寸法を小さくした状態で固定するものである請求項１乃至５のいずれかに記載の上衣。
【請求項７】
前記段階的に寄せる手段がファスナー、ボタン、フックから選ばれた少なくとも１つによるものである請求項６に記載の上衣。
【請求項８】
前記固定手段が、上衣の胴周部の一部を胴周方向に連続的に寄せて上衣の胴周部の胴周方向の寸法を小さくした状態で固定するものである請求項１乃至７のいずれかに記載の上衣。
【請求項９】
前記連続的に寄せる手段が面ファスナーによるものである請求項８に記載の上衣。
【請求項１０】
前記着用者の胴体部に対する着圧を調整するための手段が配されている上衣の胴周部の部位とは異なる上衣の胴周部の部位に、着用者の胴体部に対する着圧を微調整するための手段をさらに備えている請求項１乃至９のいずれかに記載の上衣。
【請求項１１】
前記胴周部の少なくとも一部がストレッチ生地で構成されており、前記ストレッチ素材の胴周方向の寸法の合計をＣとしたとき、Ｃ／Ａ’が０．２０〜０．５０である請求項３乃至１０のいずれかに記載の上衣。
【請求項１２】
上衣の胴周部の着用時に着用者側となる面に、着用者の胴体部に対する着圧を調整するための手段をさらに備える請求項１乃至１１のいずれかに記載の上衣。
【発明の詳細な説明】
【技術分野】
【０００１】
本発明は、人々の健康維持に関し、なかでも腰痛などの職業性疾病のリスクが高い職業、例えば運送業、医療・介護、コンピュータ作業に従事する労働者に特に好適な上衣に関するものである。
【背景技術】
【０００２】
職業性疾病のうち、腰痛は労働者が仕事の中でかかりやすい病気のひとつであり、さまざまな職種に広がり発生している。腰痛発生のリスクが高い職業として、重量物運搬や長距離ドライブに従事する運送業、入院患者の介助や救急患者の対応が必要な医療従事者があげられるが、最近では、高齢者介護などの社会福祉施設で腰痛発生件数が大幅に増加している。また近年、職場にも家庭にもパソコンが行き渡っており、画面を注視しながら長時間マウスやキーボード操作する作業も、腰痛発生の新たな要因となっている。
【０００３】
こうした腰痛は年齢が上がるにつれ増加する傾向にあるが、特に初期のうちに対策をとる人は少なく症状が進むまで何もしないという人が少なくない。日本は少子高齢化が進み、生産年齢人口の減少という問題に直面しているが、社会を支えるという側面では、６５歳以上の働くシニアや働く女性が増加している。こうした中、貴重な労働者の健康維持・増進はこれまで以上に重要性を増しており、職業衣においても、従来からの安全性、動き易さ、識別性という機能に加え、労働者の健康をより積極的に保つという視点が重要となっている。
【０００４】
職業性腰痛の予防、治療に使用する腰部保護帯としては種々のものが知られており、従来から腰部の負担を軽減するためにコルセット等によって腰部の周りを締め付けることが行われてきた。例えば、特許文献１には、サポート部材を備えるズボンが開示されており、上記のズボンは、それが人体に装着されたときに、サポート部が人体の骨盤周囲に囲撓装着され人体の腰部の周りを締め付けるものである。
【０００５】
しかし、コルセットや上記のズボン等で腰部の周りを締め続けていると、内臓や血管等の圧迫による負担が大きくなるほか、腰周りの筋肉を弱めてしまう。そこで、腰に負担がかかる動作を行わないときには、腰部の周りに対する締め付けを緩める必要がある。すなわち、例えば、コルセットにおいては、腰に負担がかかる動作を行わないときは、その都度それを緩める必要があるが、その都度緩めたり、再度締め付けたりしていては、面倒で手間がかかり実用性に欠ける。面倒で手間がかかるゆえに、対策としては何も取らず、結果として腰痛の悪化やさらには休業を招く要因になっていた。
【０００６】
こうした事態を改善するため、特許文献２には腰部保護帯の一部にベルト通しを設けた腰痛保護帯が示されている。こうした構造を設けることで、腰部保護帯を締めたり締めなかったりの回数が頻繁に多い場合でも、ベルトでゆるめたときの落下を防止することができる。
【先行技術文献】
【特許文献】
【０００７】
【特許文献１】特開２０１３−２０９７８４公報
【特許文献２】特開平８−８９５２０号公報
【発明の概要】
【発明が解決しようとする課題】
【０００８】
上記のとおり、特許文献１に開示の腰痛保護帯は、腰部の周りを締め付けたり、締め付けを緩めたりする頻度が高い使用環境を考慮し、締め付けを緩めた際の腰痛保護帯の落下の防止を図るものである。しかし、不要時に腰部が締め付けられることは解消されるものの、緩めた状態の腰痛保護帯が腰部に存在するため、腰周りが嵩張り、作業によってはその作業効率を低下させるとの課題がある。また、上記の腰痛保護帯はズボンに装着するベルトを腰痛保護帯のベルト通し部に通して、その落下を防止するものであるから、使用者が上衣を着用する場合には、上記の上衣の内側、すなわち人体側に配されることとなる。従って、腰に負担がかかる作業を行わず、腰部の周りの締め付けを緩めるためには、その都度、上衣を脱ぐなどして腰痛保護部材を操作できる状態にする必要があり、依然として面倒で手間がかかり実用性に欠けるとの課題がある。
【０００９】
そこで、本発明の課題は、腰部の周りの締め付けを緩めた状態において作業効率を低下させず、腰部の周りを締め付けたり、締め付けを緩めたりするのに手間がかからない上衣を提供することにある。
【課題を解決するための手段】
【００１０】
上記課題を解決するために本発明は以下の構成をとる。
（１）着用者の胴体部に対する着圧を調整するための少なくとも１つの手段を、上衣の胴周部に備える上衣、
（２）前記着用者の胴体部に対する着圧を調整するための手段が、上衣の胴周部の一部を胴周方向に寄せて上衣の胴周部の胴周方向の寸法を小さくした状態で固定手段により固定するものである（１）の上衣、
（３）前記固定手段で固定した後の胴周方向の胴回り寸法をＡ、
｛（着用者のチェストまたはバスト寸法値）＋（着用者のウェスト寸法値）｝／２
をＢとしたとき、Ａ／Ｂが０．９０〜１．５０である（２）の上衣、
（４）前記固定手段で固定する前の胴周方向の胴回り寸法をＡ’としたとき
（Ａ’ − Ａ）／Ａ’が０．０１〜０．３０である（３）の上衣、
（５）前記着用者の胴体部に対する着丈方向の着圧巾と着丈との比（着丈方向の着圧巾／着丈）が０．１０〜０．６０である（１）乃至（４）のいずれかの上衣、
（６）前記固定手段が、上衣の胴周部の一部を胴周方向に段階的に寄せて上衣の胴周部の胴周方向の寸法を小さくした状態で固定するものである（１）乃至（５）のいずれかの上衣、
（７）前記段階的に寄せる手段がファスナー、ボタン、フックから選ばれた少なくとも１つによるものである（１）乃至（６）のいずれかの上衣、
（８）前記固定手段が、上衣の胴周部の一部を胴周方向に連続的に寄せて上衣の胴周部の胴周方向の寸法を小さくした状態で固定するものである（１）乃至（７）のいずれかの上衣、
（９）前記連続的に寄せる手段が面ファスナーによるものである（１）乃至（８）のいずれかの上衣、
（１０）前記着用者の胴体部に対する着圧を調整するための手段が配されている上衣の胴周部の部位とは異なる上衣の胴周部の部位に、着用者の胴体部に対する着圧を微調整するための手段をさらに備えている（１）乃至（９）のいずれかの上衣、
（１１）前記胴周部の少なくとも一部がストレッチ生地で構成されており、前記ストレッチ素材の胴周方向の寸法の合計をＣとしたとき、Ｃ／Ａ’が０．２０〜０．５０である（３）乃至（１０）のいずれかの上衣、
（１２）上衣の胴周部の着用時に着用者側となる面に、着用者の胴体部に対する着圧を調整するための手段をさらに備える（１）乃至（１１）のいずれかの上衣。
【発明の効果】
【００１１】
本発明によれば、腰部の周りの締め付けを緩めた状態において作業効率を低下させず、腰部の周りを締め付けたり、締め付けを緩めたりするのに手間がかからない上衣を提供することができる。
【図面の簡単な説明】
【００１２】
【図１】胴周部の胴周方向の寸法を小さくする前の状態の上衣の一例の正面図。
【図２】胴周部の胴周方向の寸法を小さくした状態の上衣の一例の正面図。
【図３】胴周部の胴周方向の寸法を小さくする前の状態の上衣の一例の正面図。
【図４】胴周部の胴周方向の寸法を小さくした状態の上衣の一例の正面図。
【図５】図３に示した上衣の一例の側面図。
【図６】固定手段として面ファスナーを有する上衣の一例の背面図。
【図７】上衣内部に腰ベルト部を備えた上衣の一例の後ろ見頃および前身頃の概念図。
【発明を実施するための形態】
【００１３】
本発明の上衣においては、着用者の胴体部に対する着圧を調整するための少なくとも１つの手段を、上衣の胴周部に備える。ここで、胴体部は着用者の脇下から腰部までをいう。また、ここでの着圧は衣服を着用した際に着用者にかかる圧力をいう。本発明の上衣は、着用者の胴体部に対する着圧を調整する、すなわち、着圧を調整するための少なくとも１つの手段により着用者の胴体部を締め付けたり、その締め付けを緩めたりする機能を有するものである。
【００１４】
ここで、着圧を調整するための少なくとも１つの手段により着用者の胴体部を締め付けることで、上衣そのものがコルセット様となり、着用者の胴体部を支持し、着用者の胴体部にかかる負担を軽減するものである。
【００１５】
また、着用者が腰に負担のかかる作業を行わない時は、締め付けを緩めることができ、さらに、上記の着圧を調整するための少なくとも１つの手段が上衣と一体化しているため、締め付けを緩めた状態で作業の邪魔になることにより生ずる作業効率の低下を抑制することができる。また、このように着圧を調整するための少なくとも１つの手段を上衣に一体化することは、これまでのように必要な時にコルセット等の胴体支持材を忘れたために、そのまま腰に負担がかかる作業をしてしまい、腰を痛めてしまうことを減らすことができる。また、着用者の健康に対する意識付けや姿勢改善のきっかけにもなる。さらに、着圧を調整するための少なくとも１つの手段を上衣に一体化することで、着用者の胴体部を締め付けたり、締め付けを緩めたりするのに手間がかからない。
【００１６】
前記着用者の胴体部に対する着圧を調整するための手段は、上衣の胴周部の一部を胴周方向に寄せて上衣の胴周部の胴周方向の寸法を小さくした状態で固定手段により固定するものであるのが好ましい。そうすることで、よりシンプルな手段で着用者の胴体部に対する着圧を調整することができるため、非締め付け時において作業効率の低下をより効果的に抑制することができる。また、着用者の胴体部を締め付けたり、締め付けを緩めたりするのにかかる手間もより効果的に抑制することができる。ここで、固定手段とは、具体的にファスナー、ボタン、フック、または面ファスナー等を例示することができる。また、これらの固定手段の中から複数の固定手段を組み合わせて用いることもできる。
【００１７】
ここで、前記固定手段で固定した後の胴周方向の胴回り寸法をＡ、（ただし、Ａは人が着用していない状態で測定する。）
｛（着用者のチェストまたはバスト寸法値）＋（着用者のウェスト寸法値）｝／２
をＢとしたとき、
Ａ／Ｂが０．９０〜１．５０である上衣であるのが好ましい。ここで、本発明の上衣は１以上の固定手段を持ち得るが、それらの一部または全部を適宜使用し、Ａ／Ｂを上記の範囲内とし得るようにすればよい。
【００１８】
一般に、工業製品市場または一般市場で流通する上衣の場合、着用者を特定することが困難であるため、通常は、衣料のサイズ別に衣料規格を設けて、想定される着用者を上記のサイズ別の衣料規格に分類している。そのような状況に鑑み、本発明においては、そのサイズ別の衣料規格におけるチェスト、バストおよびウェストの規格想定範囲の中心値をそれぞれ着用者のチェスト、バスト寸法値および着用者のウェスト寸法値とみなす。
【００１９】
さらに、上記の式においては着用者のチェストまたはバスト寸法値および着用者のウェスト寸法値の合計を２で除すことにより得られた値をＢとし、Ｂは着用者の胴体部の胴周方向の胴回り寸法を表すものとしている。
【００２０】
ここで、衣料規格としては、例えばＪＩＳ  Ｌ  ４００２（１９９７年版）および４００３（１９９７年版）「少年（少女）」用衣料サイズ」、ＪＩＳ  Ｌ  ４００４（２００１年版）および４００５（２００１年版）「成人女子（男子）用衣料のサイズ」、ＪＩＳ  Ｌ  ４００６（１９９８年版）「ファンデーションのサイズ」、または、社団法人  日本スポーツ用品工業協会（ＪＡＳＰＯ）が定めるＪＡＳＰＯ規格サイズ（成人男子、成人女子、ジュニア）などが挙げられ、こられの中の特定のものを用いることができる。衣料サイズは、体型区分表示、単数表示、範囲表示などいずれの表示方法で表したサイズであってもよい。例えば、本発明の衣服をＪＩＳ  Ｌ  ４００４（２００１年版）「成人男子用衣料のサイズ」の範囲表示Ｍサイズに基づいて設計する場合、その規格のチェスト寸法範囲は８８〜９６ｃｍ、ウェスト寸法範囲は７６〜８４ｃｍであるため、「着用者のチェストまたはバスト寸法値」は、９２ｃｍ、「着用者のウェスト寸法値」は８０ｃｍ、｛（着用者のチェストまたはバスト寸法値）＋（着用者のウェスト寸法値）｝／２をＢとしたとき、Ｂは（９２＋８０）／２＝８６ｃｍである。なお、女子用の場合は、チェストの代わりにバストの寸法範囲を用いて計算してよい。
【００２１】
Ａ／Ｂは、上衣の胴周部の胴周方向の寸法を小さくした後の胴回りと（ここでの計測は人体に着用していない状態で行う）、人体の胴回り寸法を基に、それぞれのサイズでの着用者の胴体部に対するフィット性（胴体部に対するサポート力）の値を模擬的に求めたものである。ここで、Ａ／Ｂを１．００以下とすることで、着用時に上衣が着用者の胴体部に追随し伸びる必要があり高い伸張応力が発生、これが着用者の胴体部への高いサポート力（着圧）となる。一方で、Ａ／Ｂを０．９０以上とすることで、上衣の着用時に着用者の胴体部に対する圧着が必要以上に高くなり、窮屈となり着用快適性が低下するのを抑制することができる。
【００２２】
また、上衣の下に下着およびその他の着衣を着けた状態で作業等の運動することを考慮した場合にはＡ／Ｂは１を超えてよい。Ａ／Ｂがあまり大きいと衣服と体とのゆとりが大きくなりすぎ胴体部をサポートする機能が低下してしまうので、上衣の下に下着およびその他の着衣を着けた状態で作業等の運動することを考慮した場合においては、Ａ／Ｂは０．９０〜１．５０であることが好ましい。Ａ／Ｂを０．９０以上とすることで、上衣の着用時に着用者の胴体部に対する圧着が必要以上に高くなり、窮屈となり着用快適性が低下するのを抑制することができる。一方で、Ａ／Ｂを１．５０以下とすることで、上衣の下に下着およびその他の着衣を着けた状態で着用者の胴体部に対し高いサポート力を発揮する上衣を得ることができる。上記の観点から、Ａ／Ｂは、１．１０〜１．３０であることがより好ましい。すなわち、Ａ／Ｂは、着用者の作業環境等に応じて適宜選択することができる。
【００２３】
また、前記固定手段で固定する前の胴周方向の胴回り寸法をＡ’、前記固定手段で固定した後の胴周方向の胴回り寸法をＡとしたとき、（ただし、Ａ’、Ａは人が着用していない状態で測定する。）
（Ａ’−Ａ）／Ａ’が０．０１〜０．３０であるのが好ましく、さらに好ましくは０．１０〜０．２０である。Ａは固定手段により固定した後の胴周方向の胴回り寸法であるので、（Ａ’−Ａ）／Ａ’は、上衣の胴周部の一部を胴周方向に寄せて上衣の胴周部の胴周方向の寸法を小さくした状態で固定する前後での胴周り寸法の縮小割合を示しており、この値が小さいことは調整巾が小さいことを意味する。具体的に、上記のＡ／Ｂの値が大きく、かつ（Ａ’−Ａ）／Ａ’の値が小さい場合には、固定手段で固定した際の着用者の胴体部に対する着圧が大きく、かつ、固定手段による固定を解除した際の胴周部の胴周方向の寸法増大が小さい上衣といえる。ここで、（Ａ’−Ａ）／Ａ’を０．０１以上とすることで、上記のＡ／Ｂの値が適切な場合には、固定手段で固定した際の着用者の胴体部に対する着圧は適切なものであり、かつ固定手段による固定を解除した際には胴体部に対する着圧をより適切に取り除くことが可能になる。一方で、（Ａ’−Ａ）／Ａ’を０．３０以下とすることで、調整巾が必要以上に大きくなり、固定手段による固定を解除した際に胴周部の胴周方向の寸法が大きく増大し作業時に邪魔になることによる作業性の低下を抑制することができる。
【００２４】
さらに、前記着用者の胴体部に対する着丈方向の着圧巾と着丈との比（着丈方向の着圧巾／着丈）は０．１０〜０．６０であるのが好ましい。さらに好ましくは０．２０〜０．５０である。ここで、着丈方向の着圧巾／着丈を０．１０以上とすることで、固定手段により固定した状態における着用者の胴体部に対するサポート力（着圧）が集中し局所的な内臓や血管等の圧迫をより抑制することができる。一方で、着丈方向の着圧巾／着丈を０．６０以下とすることで、着用者の胸部などサポートの必要の無い部位に対する締め付けをより抑制することができる。
【００２５】
ここで、前記固定手段は、上衣の胴周部の一部を胴周方向に段階的に寄せて上衣の胴周部の胴周方向の寸法を小さくした状態で固定するものであるのが好ましい。段階的に寄せることで、腰部圧力がゼロの状態から、必要な着圧がかかる状態に速やかに移行することができる。ここで段階的に寄せる手段は、簡易さの点で留め具を使用するのが好ましく、具体的には、ファスナー、ボタン、フックから選ばれた少なくとも１つによるものであるのがより好ましい。ファスナーは金属ファスナーでも樹脂ファスナーでもよく、金属ファスナーでは銅合金が、樹脂ファスナーではナイロン、ポリエステル、ポリアセタール製が好適に使用できる。これらの中でもファスナーが、閉じることで長さ方向の幅をもって腰部全体に圧力をかけることができる点で好ましい。ここでのファスナーは両開きタイプのオープンファスナー、片方が固定されているファスナーいずれでもよいが、スライダーを後述する図１のように上から下に走らせることで閉じるように取り付けると着用者が着用したまま一人で操作しやすい点で好ましい。
【００２６】
図１〜６は本発明の上衣の例を示したものである。図１は、胴周部の胴周方向の寸法を小さくする前の状態の上衣の一例の正面図を示す。図１に示される特定の着丈１の上衣は、ファスナー５で胴体部に対する着圧を調整する例であり、ファスナー５を開状態とし胴体部の胴周り３、裾周り４の寸法を小さくする前の状態である。ここでの胴回り３は、脇周り２と裾周り４の中間点で、ファスナー５の開閉により胴周方向の上衣の寸法が変化する部位をいう。また、上記の上衣は、調整巾となるマチ部６を有する。
【００２７】
次に、図２は、胴周部の胴周方向の寸法を小さくした状態の上衣の一例の正面図を示す。ファスナー（図示せず）を閉状態とし、胴体部の胴周り７および裾周り８の寸法を小さくした後の状態である。ここでの胴回り７は、脇周り（図示せず）と裾周り（図示せず）の中間点で、ファスナーの開閉により胴周方向の上衣の寸法が変化する部位をいう。また、上記の上衣は、着丈方向の着圧巾９を有する。
【００２８】
また、図３は、胴周部の胴周方向の寸法を小さくする前の状態の上衣の一例の正面図を示し、上記の上衣は図１に示した上衣とは別の態様のものである。図３に示される特定の着丈１の上衣は、スライダー付きオープンファスナー１２とオープンファスナー１０とで胴体部に対する着圧を調整する例であり、スライダー付きオープンファスナー１２とオープンファスナー１０を開状態とし胴体部の胴周り３、裾周り４の寸法を小さくする前の状態である。ここでの胴回り３は、脇周り２と裾周り４の中間点で、スライダー付きオープンファスナー１２とオープンファスナー１０の開閉により胴周方向の上衣の寸法が変化する部位をいう。また、スライダー付きオープンファスナー１２とオープンファスナー１０の間の上衣の側部はストレッチ生地部１１からなる。
【００２９】
次に、図４は、胴周部の胴周方向の寸法を小さくした状態の上衣の一例の正面図を示し、上記の上衣は図２に示した上衣とは別の態様のものである。図４に示される特定の着丈の上衣は、スライダー付きオープンファスナー（図示せず）とオープンファスナー（図示せず）とで胴体部に対する着圧を調整する例であり、スライダー付きオープンファスナー（図示せず）とオープンファスナー（図示せず）を閉状態とし、胴体部の胴周り３（図示せず）の寸法を小さくした後の状態である。ここでの胴回りは、脇周り（図示せず）と裾周り（図示せず）の中間点で、ファスナーの開閉により胴周方向の上衣の寸法が変化する部位をいう。また、上記の上衣は、着丈方向の着圧巾９を有する。
【００３０】
次に、図５は、図３に示した上衣と類似の構成の上衣の一例の側面図を示す。上記の上衣は、その側部に１つのスライダー付きオープンファスナー１２と２つのオープンファスナー１３およびオープンファスナー１４を有する。また、スライダー付きオープンファスナー１２とオープンファスナー１４の間の上衣の側部はストレッチ生地部１１からなる。このような構成とすることで、着用者の胴体部に対するサポート力（着圧）を段階的に設定すること可能となる。具体的には、スライダー付きオープンファスナー１２と対となるオープンファスナーとして、スライダー付きオープンファスナー１２により近い方のオープンファスナー１３を選んで閉状態を形成することで、後述するスライダー付きオープンファスナー１２により遠い方のオープンファスナー１４を選んで閉状態を形成する場合と比較して着用者の胴体部に対する着圧は弱いものとなり、腰への負担が比較的小さいような作業を行う場合には、着用者の胴体部にある程度の自由度が与えられ作業効率の向上が期待できる。一方で、スライダー付きオープンファスナー１２と対となるオープンファスナーとして、スライダー付きオープンファスナー１２により遠い方のオープンファスナー１４を選んで閉状態を形成することで、前述したスライダー付きオープンファスナー１２により遠い方のオープンファスナー１３を選んで閉状態を形成する場合と比較して着用者の胴体部に対する着圧は強いものとなり、腰への負担が比較的大きいような作業を行う場合には、着用者の胴体部がしっかりとサポートされ、腰への負担が大幅に軽減されることが期待できる。すなわち、上記の構成により、より遠い対となるオープンファスナー１４を選べば強い着圧、より近い対となるオープンファスナー１３を選べば弱い着圧というように着圧レベルを選択できるので着用者が自分に適した着圧を選びやすい。また、調整巾が比較的広く設定することができるのでサイズ展開の簡素化が可能になる。
【００３１】
上記においてファスナー長は５ｃｍ以上４０ｃｍ以下であるのが好ましく、より好ましくは１５ｃｍ以上３５ｃｍ以下であるのが好ましい。上記のファスナー長を５ｃｍ以上とすることで、着用者に対する着圧が局所的にかかるのを抑制することができる。すなわち、局所的な内臓や血管等の圧迫をより抑制することができる。一方で、上記のファスナー長を４０ｃｍ以下とすることで、着用者の胸部などサポートの必要の無い部位に対する締め付けをより抑制することができる。また、固定手段としてボタン、フックを使用する場合は、着丈方向に１箇所以上こうした止め具を設け、ここでも長さ方向の幅をもって腰部全体に圧力をかけるのが好ましい。また、着丈方向に２箇所以上のボタン、フックなどの固定手段を設けることが、着用者に対する着圧が局所的にかかるのを抑制することができる観点から好ましい。
【００３２】
さらに上記の固定手段は、上衣の胴周部の一部を胴周方向に連続的に寄せて上衣の胴周部の胴周方向の寸法を小さくした状態で固定するものであるのが好ましい。連続的に寄せることで、着用者それぞれが、より快適と感じる着圧になるよう、微調整することができる。ここで連続的に寄せる手段は、使用の簡易さの点で面ファスナーを使用するのが好ましい。ここで、図６は、固定手段として面ファスナーを有する上衣の一例の背面図を示す。上記の上衣は、上衣の背面の胴体部に面ファスナー１５を上衣の背面の２箇所の両側部に設けたものである。ここで、面ファスナー１５は、面と面を押し付けるとそれだけで貼り付くようになっているもので、貼り付けたり剥がしたりすることが自在にできる。一般的にはフック面とループ面からなるものが多いが、フックとループ両方が埋め込まれており区別のないタイプ、フック面がマッシュルーム状や鋸場状となっており結合力を強めたタイプなども好ましく使用できる。
【００３３】
上記の面ファスナー１５の着丈方向巾は２ｃｍ以上１０ｃｍ以下であるのが好ましく、面ファスナー１５の身巾方向巾１７は５ｃｍ以上２０ｃｍ以下であるのが好ましい。ここで面ファスナー１５のサイズを一定以上大きいものとすることで、着用者の胴体部に対しより強いサポート力を作用させることができ、また、固定力がより強くなるため着用者の作業中に面ファスナーの一部が剥がれるのを抑制することができる。一方で、面ファスナー１５のサイズを一定以上小さいものとすることで、着用者の胴体部への着圧を緩める際に剥がしやすくなるため、作業性に優れたものとなる。
【００３４】
また、本発明の上衣は、着用者の胴体部に対する着圧を調整するための手段が配されている上衣の胴周部の部位とは異なる上衣の胴周部の部位に、着用者の胴体部に対する着圧を微調整するための手段をさらに備えているものであることが好ましい。具体的には、上衣の両側部のそれぞれに着用者の胴体部に対する着圧を調整するための手段としてファスナーを有し、さらに、その上衣の背面の２箇所の両側部に着用者の胴体部に対する着圧を微調整するための手段として面ファスナー有する上衣等を例示することができる。このような構成とすることで、着用者の体型や、着用者の行う作業に応じて最適なサポートを着用者の胴体部に対し行うことができる。
【００３５】
また、着用者の体へのフィット性と運動追従性を両立させる点で、胴周部の少なくとも一部が伸縮性のあるストレッチ生地で構成されるのが好ましい。人を介助する作業や荷物を上げ下ろしする作業は上体の運動量が多く、上衣の運動追従性を上記のような作業に適したものとするためには十分伸びるストレッチ生地が上衣の胴周部等の一部に適宜使用されるのが好ましい一方で、腰へのサポートという点では上衣の胴周部の一部に伸びにくい生地の方が適宜しようされるのが好ましい。上記の観点から、上記の使用目的等に応じ、ストレッチ生地および非ストレッチ生地の使用割合や上衣における使用部位を適宜選択することが好ましい。また、具体的には、上衣の側部の一部にストレッチ生地を使用した図５に示した上衣などが例示できる。
【００３６】
上記のストレッチ生地は胴周方向に伸びにくい生地と切り替えるなどして複数配置してよいが、上衣は、その胴周部に配されるストレッチ生地の胴周方向の寸法の合計をＣ（ただし、Ｃは人が着用していない状態で測定する。）とし、固定手段で固定する前の胴周部の胴周方向の寸法をＡ’としたとき、Ｃ／Ａ’が０．２０〜０．５０であるのが好ましい。ここで、Ｃ／Ａ’は、上衣の胴周部の胴周方向全体に対し、そこに配されているストレッチ生地の割合を示すものである。具体的に、上記のＡ／Ｂの値が大きく、かつＣ／Ａ’も大きい場合には、固定手段で固定した際の着用者の胴体部に対する着圧が大きく、かつ着用者が作業を行う際にその着用者への運動追従性に優れ、着用快適性に優れた上衣が得られる。よって、Ｃ／Ａ’を０．２０以上とすることで、上記のＡ／Ｂの値が適切な場合には、固定手段で固定した際に着用者の胴体部に対し適切な着圧をかけることができ、さらに着用者の運動時に着用者の体に十分に追従する運動追従性に優れた上衣とすることができる。一方で、Ｃ／Ａ’を０．５０以下とすることで、上衣の胴周部が胴周方向に延伸し過ぎるのを良く低し、上記のＡ／Ｂの値が適切な場合に、着用者の胴体部に対する着圧をより適切なものとすることができる。
【００３７】
なお、上衣の着用時に着用者側となる面（以下、内部面とする）の胴周部に、着用者の胴体部に対する着圧を調整するための手段をさらに備えていることが好ましい。そのような構成とすることで、着用者の胴体部へのサポートをより強固なものとすることができる。ここで、図７は、上衣内部に面ファスナー部２１を有する腰ベルト部２０を備えた上衣の一例の後見頃内部１８および前身頃内部１９の概念図を示す。上記の上衣は、その内部面の後見頃に腰ベルト部２０が固定されている。また、上記の腰ベルト部２０においては、着用者の胴体部に対し着圧をかけない時には、腰ベルト２０部が邪魔になり作業性が低下するのを抑制するために、前見頃の着用者側に挿入部を設けて、腰ベルトの先を挿入して軽く固定したり、あるいは腰ベルト部２０と前身頃に一対の固定具２２を設けて収納できるようにするとさらに好ましくなる。上記の固定具としては、スナップボタンや面ファスナーなどを用いることができる。上衣の内部に腰ベルト部２０を備えることは、例えば、上衣とズボンが縫い合わされているつなぎ服の内部に備えているものよりも、裾をめくって腰ベルト部２０が有する面ファスナー部２１の着脱操作ができる点でも実用性に優れる。また、後身頃に腰ベルト部２０を固定することで締めたり緩めたりの際、ベルトがずり落ちることもなく、着脱操作が容易となる。なお、前記腰ベルトの胴周方向の長さは、固定手段で固定する前の胴周方向の胴回り寸法Ａ’の７０％〜９０％の長さであるのが好ましいく、さらに前記腰ベルトの着丈方向の長さは着丈の２０％〜４０％の長さであるのが、サポート力と収納性のバランスをとる上で好ましい。腰ベルト部の生地には特に制約はないが締め付け力と固定力の点からストレッチ生地であるのが好ましく、さらに２重にしてベルト状に仕立てるのが好ましい。さらに腰部へのフィット性、安定性を高めるため樹脂ステーを、複数本、背骨に沿うように腰ベルトに設けるとさらに好ましい。
【００３８】
上衣を構成する各部材の素材は、合成繊維または天然繊維を用いた繊維織編物が汎用性に優れ好ましい。合成繊維および天然繊維の種類は限定されないが、耐洗濯性や原糸・編織設計の汎用性を考慮するとポリエステルやナイロン繊維などを単独で使用したり、さらにポリウレタン、レーヨン、アクリル、綿繊維などと複合して使用することが好ましい。
【００３９】
編織設計においては、織物、編物いずれでもよい。ただし前記ストレッチ生地においては、高い伸縮特性を有し、かつ組織構造により吸汗・速乾機能などを付与できる点で編物が好ましい。編組織は経編、緯編いずれでもよいが、より好ましくは人体の胴周方向、すなわち締付方向である身巾方向に比較的高い伸縮性を有する緯編が好ましい。
【００４０】
伸縮可能な織編物としては、絹やウールなどの天然繊維やレーヨンなどの再生繊維、アクリル系繊維やポリエステル系繊維などの合成繊維などに弾性繊維（ポリウレタン繊維など）を混用したストレッチ織編物等があげられる。また弾性繊維を使用しないで例えば一方がポリトリメチレンテレフタレート（ＰＴＴ）を主体としたポリエステルである２種類のポリエステル重合体を繊維長さに沿ってサイドバイサイドに貼りあわせた複合繊維のマルチフィラメントを経糸および緯糸の少なくとも一方に用いたポリエステル系ストレッチ織編物を使用してもよい。
【００４１】
伸縮性を示す測定方法には伸び率および伸長弾性率がある。伸び率は織編地の伸びの程度を表すものであり、この数値が大きいほど、着用したときの体の動きに追従しやすく、着脱も容易である。一方で、伸長弾性率とは体の動きで伸長した生地が、すばやく元の状態に戻ろうとする回復程度を表すものであり、この数値がおおきいほど、着用したときの型崩れが少なく、着用前後で形態変化を起こしにくい。
【００４２】
上記のストレッチ生地は、その身巾方向の伸び率が３０％以上、伸長弾性率が７５％以上であるのが好ましい。ストレッチ生地の伸び率を３０％以上とすることで、人体運動時の皮膚の伸びに対する追従性がより向上する。一方で、ストレッチ生地の伸長弾性率を７５％以上とすることで、生地が大きく伸ばされるのが抑制されるため元の衣服に対する寸法変化も抑制され、繰り返し使用で着用感が異なったものになるのを抑制できる。上記のストレッチ生地の伸長弾性率は９０〜１００％がさらに好ましい。
【実施例】
【００４３】
以下、本発明をさらに実施例により詳細に説明する。
【００４４】
（測定）
［伸び率］
伸び率は、ＪＩＳ  Ｌ  １０９６（２０１０年版）「織物及び編物の生地試験方法」Ｄ法に基づいて測定した。（荷重は４．９Ｎ、標線間距離は２０ｃｍ）          。
【００４５】
［伸張弾性率］
伸長弾性率は、ＪＩＳ  Ｌ  １０９６（２０１０年版）「織物及び編物の生地試験方法」Ｅ法に基づいて測定した。（荷重は４．９Ｎ、標線間距離は２０ｃｍ）          。
【００４６】
（評価）
［腰部サポート性］
同一衣服サイズ（ＪＩＳ  Ｌ  ４００４（２００１年版）「成人男子用衣料のサイズ」の範囲表示Ｍサイズ）の被験者１０名が実施例および比較例の上衣を着用し、上衣の固定手段で固定し上衣の胴周部の寸法を胴周方向に縮小した状態で、１０ｋｇのダンボール箱（タテ３２ｃｍ×ヨコ４６×高さ２６ｃｍ）を高さ１ｍの台と床の間で３０秒に１回、３分間、上げ下ろしを行ったときの腰部がサポートされる感覚の有無を４段階で評価した。評価点数が高いほど腰部サポート性に優れている。モニター１０人の評価点数合計を評価結果とした。評価基準を表１に示す。
【００４７】
［着脱容易性］
同一衣服サイズ（ＪＩＳ  Ｌ  ４００４（２００１年版）「成人男子用衣料のサイズ」の範囲表示Ｍサイズ）の被験者１０名が実施例および比較例の上衣を着用し、上衣の胴周部を締めたりゆるめたりの操作について容易かそれとも面倒に感じるかの感覚を４段階で評価した。評価点数が高いほど着脱容易性に優れている。モニター１０人の評価点数合計を評価結果とした。評価基準を表１に示す。
【００４８】
［運動追従性］
同一衣服サイズ（ＪＩＳ  Ｌ  ４００４（２００１年版）「成人男子用衣料のサイズ」の範囲表示Ｍサイズ）の被験者１０名が実施例および比較例の上衣を着用し、上衣の固定手段で固定し上衣の胴周部の寸法を胴周方向に縮小した状態で、上肢下垂前屈動作を行った時の衣服の追従性を４段階で評価した。評価点数が高いほど運動追従性に優れている。モニター１０人の評価点数合計を評価結果とした。評価基準を表１に示す。
【００４９】
［着用快適性］
同一衣服サイズ（ＪＩＳ  Ｌ  ４００４（２００１年版）「成人男子用衣料のサイズ」の範囲表示Ｍサイズ）の被験者１０名が実施例および比較例の上衣を着用し、上衣の固定手段で固定し上衣の胴周部の寸法を胴周方向に縮小した状態で、立位姿勢を取った時の着圧および圧迫に対する快適性を４段階で評価した。評価点数が高いほど着用快適性に優れている。モニター１０人の評価点数合計を評価結果とした。評価基準を表１に示す。
【００５０】
実施例、比較例はいずれもＪＩＳ  Ｌ  ４００４（２００１年版）「成人男子用衣料のサイズ」で定められた範囲表示のＭサイズに基づいて設計した。
【００５１】
［実施例１］
経糸に１６７ｄｔｅｘのポリエチレンテレフタレート糸とポリエステル６５％綿３５％の紡績糸、緯糸に１６７ｄｔｅｘのポリエチレンテレフタレート糸を用い、経糸密度１５４本／ｉｎｃｈ、緯糸密度６４本／ｉｎｃｈの経二重綾織に製織、染色仕上げし、ポリエステル９０％、綿１０％のベース生地１を得た。
【００５２】
一方、鞘糸に１６７ｄｔｅｘのポリエチレンテレフタレート糸、芯糸として４４ｄｔｅｘのポリウレタン弾性繊維を用いたカバリング糸を作製し、これを経糸緯糸に用い、経糸密度１４９本／ｉｎｃｈ、緯糸密度１１７本／ｉｎｃｈの綾織に製織、染色仕上げし、ポリエステル９３％、ポリウレタン７％のストレッチ生地１を得た。前記ストレッチ生地１のヨコ（身巾方向）の伸び率は９７％、伸長弾性率は８７％であった。
【００５３】
上記ベース生地１とストレッチ生地１を用いて、正面が図１に示す上衣の正面と同様、背面が図６に示す上衣の背面と同様の上衣を作製した。図６のストレッチ生地部１１にストレッチ生地１を使用し、その他の本体部分にはベース生地１を用いた。着圧調整手段として両脇部前方に長さ３２ｃｍのファスナーを２本設け、背面には両脇部に、着丈方向巾８ｃｍ、身巾方向巾１１ｃｍの面ファスナーを２箇所設け、着圧の微調整ができるようにした。
【００５４】
両脇のファスナーを閉めた後の胴周方向の胴回り寸法は１０４ｃｍ（Ａ）とした。
【００５５】
ＪＩＳ  Ｌ  ４００４（２００１年版）「成人男子用衣料のサイズ」の範囲表示Ｍサイズに基づいて設計した。チェスト寸法範囲は８８〜９６ｃｍ、ウェスト寸法範囲は７６〜８４ｃｍであるため、「着用者のチェストまたはバスト寸法値」は、９２ｃｍ、「着用者のウェスト寸法値」は８０ｃｍ、｛（着用者のチェストまたはバスト寸法値）＋（着用者のウェスト寸法値）｝／２をＢとしたとき、Ｂは（９２＋８０）／２＝８６ｃｍである。これよりＡ／Ｂは１０４／８６＝１．２１であった。
【００５６】
前記固定手段で固定する前の胴周方向の胴回り寸法は１０７ｃｍ（Ａ’）に設計した。これより（Ａ’ − Ａ）／Ａ’＝（１０７−１０４）／１０７＝０．０２８であった。
【００５７】
使用したストレッチ生地１の胴周方向の寸法（Ｃ）は４４ｃｍに設計した。これよりＣ／Ａ’＝４４／１０７＝０．４１であった。
【００５８】
次に、背面の２箇所の面ファスナーを閉めた後の胴周方向の胴回り寸法は９６ｃｍ（Ａ）とした。
【００５９】
これよりＡ／Ｂは９６／８６＝１．１２であった。
【００６０】
これより（Ａ’ − Ａ）／Ａ’＝０．１０であった。
【００６１】
次に、両脇のファスナーおよび背面の２箇所の面ファスナーを閉めた後の胴周方向の胴回り寸法は９２ｃｍ（Ａ）とした。
【００６２】
これよりＡ／Ｂは９２／８６＝１．０７であった。
【００６３】
これより（Ａ’ − Ａ）／Ａ’＝０．１４であった。
【００６４】
実施例１の上衣の腰部サポート性、着脱容易性、運動追従性、着用快適性を表１の評価基準により評価した結果、総合的に良好であった。表２に各数値と評価結果を示す。
【００６５】
［実施例２］
実施例１と同じベース生地１とストレッチ生地１を用いて、実施例１と同様に正面および背面が図１および図６に示す上衣のそれぞれの正面および背面と同様の上衣を作製した。図６のストレッチ生地部１１にストレッチ生地１を使用し、その他の本体部分にはベース生地１を用いた。着圧調整手段として実施例１と同様に両脇部前方に長さ３２ｃｍのファスナーを２本設け、背面には両脇部に、着丈方向巾８ｃｍ、身巾方向巾１１ｃｍの面ファスナーを２箇所設け、着圧の微調整ができるようにした。
【００６６】
両脇のファスナーを閉めた後の胴周方向の胴回り寸法は実施例１に対してややゆとりのある１１２ｃｍ（Ａ）に設計した。これよりＡ／Ｂは１１２／８６＝１．３０であった。前記固定手段で固定する前の胴周方向の胴回り寸法は１２７ｃｍ（Ａ’）とした。
【００６７】
これより（Ａ’ − Ａ）／Ａ’＝（１２７−１１２）／１２７＝０．１２であった。
【００６８】
使用したストレッチ生地１の胴周方向の寸法の合計（Ｃ）は２５ｃｍに設計した。これよりＣ／Ａ’＝２５／１２７＝０．２０であった。
次に、背面の２箇所の面ファスナーを閉めた後の胴周方向の胴回り寸法は１００ｃｍ（Ａ）とした。
【００６９】
これよりＡ／Ｂは１００／８６＝１．１６であった。
【００７０】
これより（Ａ’ − Ａ）／Ａ’＝０．２１であった。
【００７１】
次に、両脇のファスナーおよび背面の２箇所の面ファスナーを閉めた後の胴周方向の胴回り寸法は９６ｃｍ（Ａ）とした。
【００７２】
これよりＡ／Ｂは９６／８６＝１．１２であった。
【００７３】
これより（Ａ’ − Ａ）／Ａ’＝０．２４であった。
【００７４】
実施例２の上衣の腰部サポート性、着脱容易性、運動追従性、着用快適性を表１の評価基準により評価した結果、総合的に良好であった。表２に各数値と評価結果を示す。
【００７５】
［実施例３］
実施例１と同じベース生地１とストレッチ生地１を用いて、実施例１と同様に正面が図１のような上衣を作製した。図６のストレッチ生地部１１にストレッチ生地１を使用し、その他の本体部分にはベース生地１を用いた。着圧調整手段として実施例１と同様に両脇部前方に長さ３２ｃｍのファスナーを２本設け、背面には両脇部に、着丈方向巾８ｃｍ、身巾方向巾１１ｃｍの面ファスナーを２箇所設け、着圧の微調整ができるようにした。
【００７６】
両脇のファスナーを閉めた後の胴周方向の胴回り寸法は実施例１に対してややゆとりの少ない９５ｃｍ（Ａ）に設計した。これよりＡ／Ｂは９５／８６＝１．１０であった。前記固定手段で固定する前の胴周方向の胴回り寸法は１２４ｃｍ（Ａ’）に設計した。
【００７７】
これより（Ａ’ − Ａ）／Ａ’＝（１２４−９５）／１２４＝０．２３であった。
【００７８】
使用したストレッチ生地１の胴周方向の寸法の合計（Ｃ）は６２ｃｍに設計した。これよりＣ／Ａ’＝６２／１２４＝０．５０であった。
次に、背面の２箇所の面ファスナーを閉めた後の胴周方向の胴回り寸法は９２ｃｍ（Ａ）とした。
【００７９】
これよりＡ／Ｂは９２／８６＝１．０７であった。
【００８０】
これより（Ａ’ − Ａ）／Ａ’＝０．２６であった。
【００８１】
次に、両脇のファスナーおよび背面の２箇所の面ファスナーを閉めた後の胴周方向の胴回り寸法は９０ｃｍ（Ａ）とした。
【００８２】
これよりＡ／Ｂは９０／８６＝１．０５であった。
【００８３】
これより（Ａ’ − Ａ）／Ａ’＝０．２７であった。
【００８４】
実施例３の上衣の腰部サポート性、着脱容易性、運動追従性、着用快適性を表１の評価基準により評価した結果、総合的に良好であった。表２に各数値と評価結果を示す。
【００８５】
［実施例４］
経糸緯糸にポリエステル６５％綿３５％の紡績糸を用い、経糸密度１５０本／ｉｎｃｈ、緯糸密度１２０本／ｉｎｃｈの綾織に製織、染色仕上げし、ポリエステル６５％、綿３５％のベース生地２を得た。
【００８６】
一方、８４ｄｔｅｘのＰＰＴ複合繊維と綿１００％紡績糸を使用して２８Ｇでトリコットを編成し通常の染色仕上げをしてストレッチ生地２を得た。前記ストレッチ生地２のヨコ（身巾方向）の伸び率は５０％、伸長弾性率は９０％であった。
【００８７】
上記ベース生地２とストレッチ生地２を用いて、正面が図３のような上衣を作製した。両脇部に図５のストレッチ生地部１１のようにストレッチ生地２を使用し、その他の本体部分にはベース生地２を用いた。着圧調整手段として両脇部に長さ１７ｃｍのファスナーを設け、スライダー付きオープンファスナーと対となるオープンファスナーと対となるもうひとつのオープンファスナーを設け、背面には両脇部に、着丈方向巾３ｃｍ、身巾方向巾８ｃｍの面ファスナーを２箇所設け、着圧の微調整ができるようにした。
【００８８】
両脇のオープンファスナーについて最大のマチ巾で閉めた後の胴周方向の胴回り寸法は９１ｃｍ（Ａ）に設計した。これよりＡ／Ｂは９１／８６＝１．０６であった。前記固定手段で固定する前の胴周方向の胴回り寸法は１０７ｃｍ（Ａ’）とした。
【００８９】
これより（Ａ’ − Ａ）／Ａ’＝（１０７−９１）／１０７＝０．１５であった。
【００９０】
使用したストレッチ生地１の胴周方向の寸法の合計（Ｃ）は１６ｃｍに設計した。これよりＣ／Ａ’＝１６／１０７＝０．１５であった。
【００９１】
次に、背面の２箇所の面ファスナーを閉めた後の胴周方向の胴回り寸法は８９ｃｍ（Ａ）とした。
【００９２】
これよりＡ／Ｂは８９／８６＝１．０３であった。
【００９３】
これより（Ａ’ − Ａ）／Ａ’＝０．１７であった。
【００９４】
次に、両脇のファスナーおよび背面の２箇所の面ファスナーを閉めた後の胴周方向の胴回り寸法は８８ｃｍ（Ａ）とした。
【００９５】
これよりＡ／Ｂは８８／８６＝１．０２であった。
【００９６】
これより（Ａ’ − Ａ）／Ａ’＝０．１８であった。
【００９７】
実施例４の上衣の腰部サポート性、着脱容易性、運動追従性、着用快適性を表１の評価基準により評価した結果、総合的に良好であった。表２に各数値と評価結果を示す。
【００９８】
［実施例５］
実施例１と同じベース生地１を用いて着丈６５ｃｍ、胴回りが１０７ｃｍの上衣を作製した。その後身頃内側に、図７のように実施例１のストレッチ生地１を２重にして仕立てた腰ベルト（胴回り方向の巾８５ｃｍ、着丈方向の巾１７ｃｍ）を後見頃中央の裾からの高さ１０ｃｍのところに、腰周り方向巾１０ｃｍ、着丈方向巾１７ｃｍで縫い付け、実施例５を得た。なおベルトの両端部には面ファスナーを設け、着圧を微調整できるようにした。実施例５の上衣を着用者が腰ベルトを腰に固定した状態で着用し、腰部サポート性、着脱容易性、運動追従性、着用快適性を表１の評価基準により評価した結果、総合的に良好であった。表２に各数値と評価結果を示す。
【００９９】
［比較例１］
実施例１と同じベース生地１を用いて着丈６５ｃｍ、胴回りが１０７ｃｍの上衣を作製した。その上衣の下に市販のゴム製腰ベルトを着用者が腰を固定した状態で腰部サポート性、着脱容易性、運動追従性、着用快適性を表１の評価基準により評価した。腰ベルトを締めたり緩めたりする動作において、ベルトがずり落ちる場面があり、動作に手間がかかっていた。表２に各数値と評価結果を示す。
【０１００】
【表１】
2015190091.tif 000003
【０１０１】
【表２】
2015190091.tif 000004
【符号の説明】
【０１０２】
１：着丈
２：脇周り
３：胴周り
４：裾周り
５：ファスナー
６：マチ部
７：胴周り
８：裾周り
９：着丈方向の着圧巾
１０：オープンファスナー
１１：ストレッチ生地部
１２：スライダー付きオープンファスナー
１３：オープンファスナー
１４：オープンファスナー
１５：面ファスナー
１６：面ファスナーの着丈方向巾
１７：面ファスナーの身巾方向巾
１８：後見頃内部
１９：前身頃内部
２０：腰ベルト部
２１：面ファスナー部
２２：固定具
２３：樹脂ステー
【図１】
2015190091.tif 000005
【図２】
2015190091.tif 000006
【図３】
2015190091.tif 000007
【図４】
2015190091.tif 000008
【図５】
2015190091.tif 000009
【図６】
2015190091.tif 000010
【図７】
2015190091.tif 000011